(57)【要約】      （修正有）【課題】  コンテンツの著作権を確実に保護しながらコンテンツを容易にダウンロードし、ユーザの好みに応じたＧＵＩを用いてコンテンツを閲覧する。【解決手段】  情報記録媒体は、再生装置がサーバとの認証に使用する固有情報と、前記再生装置がＧＵＩを作成するための複数のアプリケーションプログラムを含むコンテンツ閲覧用プログラムとを格納している。前記コンテンツ閲覧用プログラムは、ネットワーク上の前記サーバにアクセスするステップ（Ｓ００３）と、前記固有情報を含む認証情報を前記サーバに送信するステップ（Ｓ００４）と、前記サーバからコンテンツをダウンロードするステップ（Ｓ００７）と、ＧＵＩを作成する複数のアプリケーションプログラムの中から選択されたアプリケーションプログラムを使用して、ダウンロードしたコンテンツのＧＵＩを作成するステップ（Ｓ００９）とを実行させる。【選択図】図４
2007305277.tif 000002
【特許請求の範囲】
【請求項１】
再生装置がサーバとの認証に使用する固有情報と、
其々異なるＧＵＩ（Graphical User Interface）を作成する複数のＧＵＩ作成機能を有するコンテンツ閲覧用プログラムと、
を格納する情報記憶媒体であって、前記コンテンツ閲覧用プログラムは前記再生装置に、
ネットワーク上の前記サーバに、前記固有情報を含む認証情報を送信するステップと、
前記サーバからコンテンツをダウンロードするステップと、
複数のＧＵＩ作成機能の中から、選択されたＧＵＩ作成機能を使用して、ダウンロードしたコンテンツのＧＵＩを作成するステップと、
を実行させることを特徴とする情報記録媒体。
【請求項２】
ＨＤ ＤＶＤ−Ｖｉｄｅｏ規格に基づいて作成されており、前記コンテンツ閲覧用プログラムをＨＤ ＤＶＤ−Ｖｉｄｅｏ規格のAdvanced Contentとして格納することを特徴とする請求項１記載の情報記録媒体。
【請求項３】
前記送信するステップは、前記認証情報としてパスワードを前記サーバに送信するステップを含むことを特徴とする請求項１記載の情報記録媒体。
【請求項４】
前記コンテンツ閲覧用プログラムは、前記サーバからダウンロードしたコンテンツに付随するＧＵＩを使用するか否か判断するステップを更に具備し、
前記作成するステップは、前記付随するＧＵＩを使用しない場合に、選択されたＧＵＩ作成機能を使用してＧＵＩを作成することを特徴とする請求項１記載の情報記録媒体。
【請求項５】
情報記憶媒体に記憶され、其々異なるＧＵＩ（Graphical User Interface）を作成する複数のＧＵＩ作成機能を有するコンテンツ閲覧用プログラムであって、
ネットワーク上のサーバに、情報記録媒体固有の情報を認証情報として送信するステップと、
前記サーバからコンテンツをダウンロードするステップと、
複数のＧＵＩ作成機能の中から、選択されたＧＵＩ作成機能を使用して、ダウンロードしたコンテンツのＧＵＩを作成するステップと、
を具備することを特徴とするコンテンツ閲覧用プログラム。
【請求項６】
前記情報記録媒体はＨＤ ＤＶＤ−Ｖｉｄｅｏ規格に基づいて作成された記憶媒体であり、
前記コンテンツ閲覧用プログラムは、ＨＤ ＤＶＤ−Ｖｉｄｅｏ規格のAdvanced Contentとして格納されること、
を特徴とする請求項５記載のコンテンツ閲覧用プログラム。
【請求項７】
前記送信するステップは、前記認証情報としてパスワードを前記サーバに送信するステップを含むことを特徴とする請求項５記載のコンテンツ閲覧用プログラム。
【請求項８】
前記サーバからダウンロードしたコンテンツに付随するＧＵＩを使用するか否か判断するステップを更に具備し、
前記作成するステップは、前記付随するＧＵＩを使用しない場合に、選択されたＧＵＩ作成機能を使用してＧＵＩを作成すること、
を特徴とする請求項１記載のコンテンツ閲覧用プログラム。
【請求項９】
挿入された情報記録媒体に格納された情報記録媒体固有の情報を読出し、前記情報記録媒体固有の情報を認証情報として、ネットワーク上のサーバに送信する送信部と、
前記サーバからコンテンツをダウンロードするダウンロード部と、
其々異なるＧＵＩ（Graphical User Interface）を作成する複数のＧＵＩ作成機能の中から、選択されたＧＵＩ作成機能を使用して、ダウンロードしたコンテンツに対してのＧＵＩを作成する作成部と、
前記作成部により作成されたＧＵＩに基づいて入力されるユーザ指示に応じて、前記ダウンロードしたコンテンツを再生する再生部と、
を具備することを特徴とする再生装置。
【発明の詳細な説明】
【技術分野】
【０００１】
本発明は、インターネット等のネットワークに接続されたネットワークサーバから、映像、音楽等のコンテンツをダウンロードするシステムに関する。
【背景技術】
【０００２】
近年、例えばＤＶＤ（Ｄｉｇｉｔａｌ  Ｖｅｒｓａｔｉｌｅ  Ｄｉｓｋ）等の記憶媒体に記憶されたコンテンツを再生するだけでなく、インターネット等のネットワークを介して、例えばパーソナルコンピュータやセットトップボックスなどのデータ通信装置が、映像及び音楽などのコンテンツを蓄積するネットワークサーバから、該コンテンツをダウンロードして再生を行うことが一般的になりつつある。この際、コンテンツを再生する場合のメニュー画面は、コンテンツ毎に作成されたコンテンツ固有の画面が用いられる。
【０００３】
ネットワークサーバからコンテンツをダウンロードする場合に、コンテンツの著作権を保護するために、様々なコンテンツ管理技術が開発されている。下記特許文献１は、複数の権利管理方式（著作権保護技術）に基づいて端末装置におけるコンテンツの利用を制御するコンテンツ利用管理システムを開示している。すなわち特許文献１は、コンテンツを利用する端末装置と、その利用を管理するライセンス生成サーバとを含むシステムであって、ライセンス生成サーバは、コンテンツを複数の権利管理方式それぞれに対応させて、コンテンツの利用条件情報を生成する権利生成部と、コンテンツ鍵格納部と、ライセンス情報を生成するライセンス生成部等を備え、端末装置は、コンテンツの利用可否を判定する権利解釈部と、コンテンツ利用部等を備えている。
【特許文献１】特開２００４−２４０９６０
【発明の開示】
【発明が解決しようとする課題】
【０００４】
特許文献１によるコンテンツ管理方式では、コンテンツごとに複数の管理方式を保有したり解釈したりする必要がある。またコンテンツを再生する端末装置がコンテンツの利用可否を判定する権利解釈部を持つ必要がある。
【０００５】
一方、ダウンロードしたコンテンツを閲覧すなわち再生する場合のメニュー等のＧＵＩ（Graphical User Interface）は、一般にコンテンツ毎に固定的に与えられており、ユーザの好みに応じたＧＵＩを使用することはできない。例えば、コンテンツ毎に其々異なるメニュー画面が作成される場合には、其々使い勝手が異なるのでユーザが操作に困難を来たす場合がある。
【０００６】
そこで本発明は、コンテンツの著作権を確実に保護しながらコンテンツを容易にダウンロードし、ユーザの好みに応じたＧＵＩを用いてコンテンツを閲覧することを目的としている。
【課題を解決するための手段】
【０００７】
最近になって、従来のＤＶＤの記録容量及び機能を大幅に拡張したＨＤ ＤＶＤが開発され、市場に普及し始めている。ＨＤ ＤＶＤ−Ｖｉｄｅｏ規格では、従来のＤＶＤが有する映像データや音声データ等以外に、Advanced Contentを格納することができるようになっている。Advanced Contentの中には、例えばゲーム等の各種アプリケーションプログラムや、ネットワーク接続機能、サブビデオ等が含まれる。
【０００８】
本発明では、ＨＤ ＤＶＤ−Ｖｉｄｅｏ規格の記憶媒体に、Advanced Contentのアプリケーションとして、メニュー等のＧＵＩを複数種作成することのできるアプリケーションプログラムを予め格納しておく。当該アプリケーションは、コンテンツをネットワークサーバからダウンロードし、其々異なるＧＵＩを作成するＧＵＩ作成機能の中から選択されたＧＵＩ作成機能を使用して、ダウンロードしたコンテンツに対してＧＵＩを作成する。これにより、ユーザは好みのＧＵＩを用いてコンテンツを閲覧できる。
【０００９】
すなわち、本発明の一実施形態に係る情報記録媒体は、再生装置がサーバとの認証に使用する固有情報と、其々異なるＧＵＩ（Graphical User Interface）を作成する複数のＧＵＩ作成機能を有するコンテンツ閲覧用プログラムと、を格納する情報記憶媒体であって、前記コンテンツ閲覧用プログラムは前記再生装置に、ネットワーク上の前記サーバに、前記固有情報を含む認証情報を送信するステップと、前記サーバからコンテンツをダウンロードするステップと、複数のＧＵＩ作成機能の中から、選択されたＧＵＩ作成機能を使用して、ダウンロードしたコンテンツのＧＵＩを作成するステップと、を実行させる。
【発明の効果】
【００１０】
コンテンツの著作権を確実に保護しながらコンテンツを容易にダウンロードし、ユーザの好みに応じたＧＵＩを用いてコンテンツを閲覧することができる。
【発明を実施するための最良の形態】
【００１１】
以下、図面を参照して本発明の実施の形態を説明する。
【００１２】
図１は本発明が適用されるシステムの１実施形態を示す図である。ＨＤ ＤＶＤプレーヤ１０はＴＶなどのモニタ３０、及びネットワーク上のサーバ２０に接続されている。ＨＤ ＤＶＤプレーヤ１０とネットワークサーバ２０との接続は、有線でもよいし無線でもよい。ユーザは、予めネットワークサーバ２０を管理するプロバイダとコンテンツの利用のための契約を結んでいるものとする。
【００１３】
図２はＨＤ ＤＶＤプレーヤ１０及びサーバ２０の概略構成を示す図である。
【００１４】
ＨＤ ＤＶＤプレーヤ１０はＲＯＭ１、ＲＡＭ２、通信部３、入力部４、出力部５、制御部６、ＨＤＤ７、ディスクドライブ８を含んでいる。ＲＯＭ１は、ＨＤ ＤＶＤプレーヤ１０の動作に関して必要な情報及びプログラム等を保存する。ＲＡＭ２は、各種情報及びプログラム実行中のデータ等を一時的に保存する。通信部３はサーバ２０等の外部機器と双方向無線通信を行う。入力部４は、例えばリモコン、キーボード、マウス及びペン等の入力機器であり、ＨＤ ＤＶＤプレーヤ１０の制御に必要な情報をユーザから入力する。出力部５はディスプレイ及びスピーカを有するモニタ３０等の機器に映像及び音声信号等を出力する。
【００１５】
制御部６は入力部４からの入力信号に応じて、ＲＯＭ２に格納されたプログラムを実行すると共にＨＤ ＤＶＤプレーヤ１０の全体動作を制御する。また、ディスクドライブ７に挿入されたＨＤ ＤＶＤディスクに記憶されているアプリケーションを実行し、サーバ２０からのコンテンツのダウンロードや、当該コンテンツに対するメニュー画面等のＧＵＩの作成等の機能を有する。
【００１６】
ディスクドライブ７は、ＨＤ ＤＶＤディスク９等の光ディスクに記録されたデータを再生する。ＨＤＤ８は、例えばサーバ２０から通信部３を介してダウンロードされた映像コンテンツを格納する。尚、ＨＤＤ８はこの実施形態ではＨＤ ＤＶＤに内蔵されているが、外付け形式のものであってもよい。
【００１７】
次に、サーバ２０は、ＲＯＭ１１、ＲＡＭ１２、通信部１３、入力部１４、制御部１６、ＨＤＤ１７を含んでいる。ＲＯＭ１１は、サーバ２０の動作に関して必要な情報及びプログラムを保存する。ＲＡＭ１２は、各種情報及びプログラム実行中のデータ等を一時的に保存する。通信部１３は、ＨＤ ＤＶＤプレーヤ等のＡＶ機器と双方向無線通信を行う。入力部１４は、キーボード、マウス及びペン等の入力機器であり、サーバ２０の制御に必要な情報をオペレータから入力する。出力部１５は、ディスプレイ及びスピーカ等の出力機器である。
【００１８】
制御部１６は、入力部１４からの入力信号に応じて、ＲＯＭ１１に格納されたプログラムを実行すると共にサーバ２０の全体動作を制御する。ＨＤＤ１７は、例えば契約者に提供するための映画／楽曲等のコンテンツを複数格納している。
【００１９】
次に、本発明の一実施形態に係るＨＤ ＤＶＤディスクについて説明する。
【００２０】
ＨＤ ＤＶＤディスク９には、Advanced Contentのアプリケーションとして、図３で示すような様々のメニューを作成するための複数のＧＵＩ作成機能を有するアプリケーションプログラムが記録されている。このメニューは、例えば複数チャプターで構成されるコンテンツにおいて、ユーザが再生開始するチャプターを指定したり、該コンテンツの関連情報を再生させたりするためのＧＵＩ（Graphical User Interface）である。
【００２１】
各メニューを本実施形態ではテンプレートメニューといい、各テンプレートメニューは、それぞれに対応するメニュー作成機能（ＧＵＩ作成機能）に対応する。このように複数のＧＵＩ作成機能を有するアプリケーションプログラムを具備するＨＤ ＤＶＤディスクをここでは“テンプレートディスク”と呼ぶ。尚、このテンプレートディスク９は映画及びビデオクリップなどの映像及び音楽コンテンツを保有していてもよい。
【００２２】
テンプレートディスク９は、プロバイダと契約しているユーザに対してプロバイダが提供してもよい。このテンプレートディスク９を使用すなわち再生することで、ユーザは、契約しているプロバイダが保有するネットワークサーバ２０にアクセスすることができる。ネットワークサーバ２０はプロバイダが管理するものであり、プロバイダが例えば定期的に提供する映像／音楽コンテンツを複数格納している。
【００２３】
図４は、テンプレートディスク９が保有しているアプリケーションをＨＤ ＤＶＤプレーヤ１０が実行するときの処理を示すフローチャートである。この処理は、制御部６がＲＯＭ２に格納されたプログラムに従って、テンプレートディスク９に格納された情報を読み込み、入力部４からのユーザ入力に応じて実行する処理である。
【００２４】
先ず、テンプレートディスク９がディスクドライブ７に挿入されると（Ｓ００１のＹＥＳ）、制御部６はテンプレートディスク９の再生を開始する（Ｓ００２）。制御部６は、テンプレートディスク内に記述されているプロバイダのＵＲＬ等の情報及びＨＤ ＤＶＤのAdvanced Contentのアプリケーションに従って、指定のネットワークサーバにアクセスする（Ｓ００３）。
【００２５】
そしてテンプレートディスク９内に記述されている、デンプレートディスク９に固有の情報を基に認証を行う（Ｓ００４）。ここで“テンプレートディスク内に記述されている情報”として次の２パターンが考えられる。すなわち、（１）ＤＩＳＣＩＤ．ＤＡＴ、及び（２）キーを持つ独自のファイルである。
【００２６】
（１）のＤＩＳＣＩＤ．ＤＡＴは、ＨＤ ＤＶＤのAdvanced Content固有情報としてＨＤ ＤＶＤディスク上に存在するファイルである。このファイルにはプロバイダＩＤやコンテンツＩＤが含まれており、P-Storage (Persistant Storage)と呼ばれるストレージにコンテンツに関連した情報を保存するときのＩＤの参照のためなどに主に利用されるファイルである。
【００２７】
このＤＩＳＣＩＤ．ＤＡＴファイルに記述されているプロバイダＩＤとコンテンツＩＤと、ユーザが入力するパスワードを、ネットワークを介してプロバイダに提供する。これらの情報に基づいて、サーバ上に用意されている認証プログラムが認証を行い、ユーザはコンテンツをダウンロードすることが可能となる。
【００２８】
（２）の場合、キー（パスワード）を持つ独自のファイルとユーザが入力するパスワードをネットワークを介してプロバイダに提供する。これらの情報に基づいて、サーバ上に用意されている認証プログラムが認証を行い、ユーザはコンテンツをダウンロードすることが可能となる。
【００２９】
以上の２つの方法のほかに、次の（３）及び（４）の方法も考えられる。（３）はＤＩＳＣＩＤ．ＤＡＴのみを使用する方法である。上述のようにプロバイダＩＤとコンテンツＩＤをネットワークサーバへ送信し、サーバ上に用意されている認証プログラムで認証するという方法である。（４）はユーザが入力するパスワードのみに基づいて認証を行う方法である。
【００３０】
テンプレートディスク内に記述されている情報に基づく認証、即ち上記４つの方法の１つを利用した認証がＯＫの場合すなわち正常終了した場合（Ｓ０００４のＹｅｓ）、ユーザは、サーバ上に存在するコンテンツの中で所望のコンテンツを選択し（Ｓ００６）、ダウンロードする（Ｓ００７）。このようにしてダウンロードしたコンテンツは、ＲＡＭ２又はＨＤＤ８又は外付けのＨＤＤに格納される。尚、ステップ００５のＮｏは、ユーザがコンテンツのダウンロードを希望しなかった場合を示す。
【００３１】
ダウンロードしたコンテンツには一般に、そのコンテンツ用に独自に作成されたメニューが付随している。そこで制御部は、コンテンツに付随しているメニューを表示すると共に、この付随しているメニューを使用するか否かユーザに問い合わせる（Ｓ００８）。
【００３２】
ユーザがコンテンツに付随するメニューの使用を希望しなかった場合（Ｓ００８のＮｏ）、制御部６は、後述するようにユーザが選択したテンプレートメニュー（メニュー作成機能）を使用して、上記ダウンロードしたコンテンツのメニューを作成する。更に制御部６は、このメニューに基づいて入力部４から入力されるユーザ指示に応じて、ダウンロードしたコンテンツを再生する（Ｓ００９）。ユーザがコンテンツに付随するメニューの使用を希望した場合（Ｓ００８のＹｅｓ）、制御部６はダウンロードしたコンテンツに付随するメニューを使用する（Ｓ０１０）。
【００３３】
以下、テンプレートディスク９に記憶されたメニュー作成機能によるメニュー画面の作成方法の１例を簡単に説明する。
【００３４】
例えば、メニュー作成機能は、「menu1.png」という画像ファイルを座標位置（X1,Y1）に、「menu2.png」という画像ファイルを座標位置（X2,Y2）に配置する機能を有する。サーバ２０が記憶するコンテンツの中に、例えば映画等の映像データだけでなく、メニュー画面上に表示される「menu1.png」「menu2.png」といった画像データを持っていれば、図６に例を示すように、メニュー作成機能は当該画像を配置したメニュー画面を作成することができる。尚、図６の例であれば、「チャプター」という画像ファイルがmenu1に、「音声」という画像ファイルがmenu2に其々対応する。
【００３５】
このようなメニュー画面に使用されるデータを各コンテンツに対してサーバ２０が有していれば、メニュー作成機能は、其々のコンテンツに対して同一構成のメニュー画面を作成することができる。これにより操作環境の統一化が図られるので、ユーザは利便性の向上を図ることができる。
【００３６】
さらに、テンプレートディスクが記憶するアプリケーションが、図３の例に示すように当該メニュー作成機能を複数有することにより、ユーザは好みのメニュー画面を使用することができるようになる。
【００３７】
このように本実施形態では、テンプレートディスクに入っている固有情報を利用してあらかじめ契約しているプロバイダが提供するサーバにアクセスし、コンテンツをダウンロードする。又、テンプレートディスクに入っているテンプレートメニューを使用して、ユーザはユーザの好みのメニュー環境で、ダウンロードしたコンテンツを閲覧できる。
【００３８】
以上の認証及びダウンロード方法により、ユーザはテンプレートディスクを持ち歩くことで、自宅のみならずＨＤ ＤＶＤプレーヤが存在すれば、サーバ上に置いてある好みのコンテンツを好みのメニューを用いて閲覧することが可能となる。
【００３９】
次に図３に示したテンプレートメニューについて詳細に説明する。
【００４０】
ユーザはネットワーク上のサーバからダウンロードした映像や音楽などのコンテンツを再生するとき、テンプレートディスクに入っているAdvanced Contentに従うアプリケーションとして、テンプレートメニューを使用することができる。図３に示したようなテンプレートメニューは、テンプレートディスク９内に数種類含まれていても良くまた1種類でも良い。
【００４１】
図５はテンプレートメニューを選択する動作を示すフローチャートである。
【００４２】
ユーザがテンプレートディスク９に格納さているテンプレートメニュー決定アプリケーションを選択すると、制御部６は図３のような複数のテンプレートメニューを表示する（Ｓ１０１）。複数のテンプレートメニューのうち１つがユーザにより選択されると（Ｓ１０２のＹｅｓ）、制御部６は、選択されたテンプレートに対応するメニュー画面を拡大表示する（Ｓ１０３）。拡大表示したメニュー画面に対してユーザがＯＫを入力すると（Ｓ１０４）、制御部６は、ステップ１０２で選択されたテンプレートメニューに対応するメニュー作成機能を通常使用するメニュー作成機能として設定する（Ｓ１０５）。
【００４３】
テンプレートメニューにより、ユーザがどんなコンテンツを閲覧する場合でも、同じテンプレートメニューを使用して閲覧できるため、例えばメニュー操作が容易になる。図６に示すメニューは、テンプレートディスクに格納されたテンプレートメニュー（４）に基づいて作成した、あるコンテンツＡメニュー画面の一例である。このようにテンプレートメニューを使用することにより、プロバイダ側は契約ユーザに対してメニューを表示するためのアプリケーションを提供する必要が無いため、コンテンツを容易に作成することが可能と考えられる。
【００４４】
現在考えられるAdvanced Contentの再生方法としては、ＨＤ ＤＶＤディスクに格納されているアプリケーション、映像又は音楽、又はネットワークサーバからダウンロードしたアプリケーション、映像又は音楽をユーザ保有のＨＤ ＤＶＤプレーヤで再生することである。本発明の実施形態によれば、テンプレートディスクを介してネットワーク上のサーバにアクセスすることにより、ユーザが好む又はユーザオリジナルのメニューを使用して、サーバからダウンロードした映像、音楽を閲覧することが可能である。つまりユーザは、自宅のみならず自由に使用できるＨＤ ＤＶＤプレーヤがあればどこでも、サーバ上に置いてある好みのコンテンツを閲覧することが可能となる。
【００４５】
以上の説明はこの発明の実施の形態であって、この発明の装置及び方法を限定するものではなく、様々な変形例を容易に実施することができる。
【図面の簡単な説明】
【００４６】
【図１】本発明が適用されるシステムの１実施形態を示す図である。
【図２】ＨＤ ＤＶＤプレーヤ１０及びサーバ２０の概略構成を示す図である。
【図３】複数のテンプレートメニューを示す図である。
【図４】テンプレートディスク９が保有しているアプリケーションをＨＤ ＤＶＤプレーヤ１０が実行するときの処理を示すフローチャートである。
【図５】テンプレートメニューを選択する動作を示すフローチャートである。
【図６】テンプレートディスクに格納されたテンプレートメニュー（４）に基づいて表示したメニュー画面の一例である。
【符号の説明】
【００４７】
１…ＲＯＭ、２…ＲＡＭ、３…通信部、４…入力部、５…出力部、６…制御部、７…ディスクドライブ、８…ハードディスクドライブ。
【図１】
2007305277.tif 000003
【図２】
2007305277.tif 000004
【図３】
2007305277.tif 000005
【図４】
2007305277.tif 000006
【図５】
2007305277.tif 000007
【図６】
2007305277.tif 000008